(57)【特許請求の範囲】
【請求項１】
レンジフードを壁面に取り付け設置するためのレンジフード交換用の取付装置であって、
前記壁面に沿わせて取り付けられる略平板状を成し、
前記壁面の内部の柱間に垂直に様々な間隔で存在する間柱に対応してネジ止めできるように長手方向に壁取付孔を複数備え、かつ、前記レンジフード側に備えられる壁取付部の配設位置に対応させてフード取付部を備えている取付部材と、
略横長枠状に形成され、前記壁面の内部の柱間に垂直に様々な間隔で存在する間柱に対応してネジ止めできるように長手方向に壁取付孔を複数備え、かつ、前記レンジフードを取り付ける位置を決めるために前記取付部材より軽量な桟部材と、
を備え、
前記桟部材と前記取付部材との間に両部材を結合させる結合手段を備え、前記桟部材は結合状態において前記取付部材を保持し、
前記壁取付孔は、前記取付部材と前記桟部材が前記壁面に沿って上下方向に配設されたときに、長手方向の配設位置が一致するように、前記取付部材および前記桟部材にそれぞれ配設されていることを特徴とするレンジフード交換用のレンジフードの取付装置。
【請求項２】
前記壁面の壁内部の下地材間にわたる大きさに少なくとも形成されていることを特徴とする請求項１に記載のレンジフードの取付装置。
【請求項３】
前記壁取付孔および前記フード取付部をそれぞれ備えている略帯板状の第１取付部材と第２取付部材とから構成されていることを特徴とする請求項１または請求項２に記載のレンジフードの取付装置。
【請求項４】
前記第１取付部材は、レンジフードの機種によって異なる壁取付部の配設位置にそれぞれ対応させて前記フード取付部を、一辺縁部側と他辺縁部側にそれぞれ備えていることを特徴とする請求項３に記載のレンジフードの取付装置。
【請求項５】
前記桟部材は、前記第２取付部材を保持することを特徴する請求項３または請求項４に記載のレンジフードの取付装置。
【請求項６】
前記結合手段は、前記桟部材側に設けられる数ヶ所の結合爪部と、
該結合爪部と対応させて前記第２取付部材側に設けられる結合孔部と、からなることを特徴する請求項５に記載のレンジフードの取付装置。
【請求項７】
前記壁取付孔は、前記第１取付部材、前記第２取付部材および前記桟部材のそれぞれの長手方向に複数配設され、なおかつ、前記第１取付部材、前記第２取付部材および前記桟部材が壁面に沿って上下方向に配置されたときに、前記長手方向の配設位置が一致するように、前記第１取付部材、前記第２取付部材および前記桟部材にそれぞれ配設されていることを特徴とする請求項３〜６の何れかに記載のレンジフードの取付装置。
【発明の詳細な説明】
【技術分野】
【０００１】
本発明は、レンジフードの取付装置に係り、特に、木造建築物の壁面、所謂キッチン壁に取り付け設置される壁設置タイプのレンジフードであって、既設のレンジフードから新規のレンジフードに交換するリフォームなどに有効な取付装置に関する。
【背景技術】
【０００２】
壁設置タイプのレンジフードには、汚染空気の深い捕集空間を有するブース型（深型）のフード部を備えている形態、浅い捕集空間を有する平型（薄型）のフード部を備えている形態、そして送風装置をフード部内に設置している形態、送風装置をフード部上に設置している形態、などの様々な機種が知られている。
【０００３】
そして、このような様々な機種からなる壁設置タイプのレンジフードのキッチン壁への取り付け設置としては、最も標準的なキャビネット（吊戸棚）が取り付けられるキッチン壁にフード部の背面側を沿わせてキャビネットと並列させて取り付け設置される背面取付タイプ（例えば、特許文献１および特許文献２などを参照）、そして、ダイニングなどの隣室との間仕切りなどによる隔たりをなくしたオープンキッチンのように、キッチン壁にフード部の一側面側を沿わせて取り付け設置される側面取付タイプ（例えば、特許文献３などを参照）、などが一般的に知られている。
【０００４】
ところで、壁設置タイプのレンジフードのキッチン壁への取り付け設置は、取付金具や木ネジなどからなる取付ネジを用いたネジ止めによって行われる。このとき、取付ネジは、壁内部の間柱または貫（柱などの垂直材を貫通させて水平に通される水平材）などの下地材に達するようにねじ込まれる。これにより、レンジフードの荷重などによってキッチン壁が破損するなどのおそれがない十分な強度（保持強度）にてレンジフードをキッチン壁に取り付け保持させることができる。
すなわち、キッチン壁（内壁）に張られている石膏ボードなどの壁構成材へのねじ込みによる取り付けではかなりの重さを有するレンジフードを、板厚が、例えば、１０〜１２ｍｍ程度の内壁板で支え保持しなければならず、壁構成材がレンジフードの重みによって破損するおそれがあり、また、取付ネジが壁構成材から抜け外れてしまうなどのおそれがあるために、壁構成材を貫通させて該壁構成材が釘止めやネジ止めされている壁内部の間柱または貫などの下地材に達するように取付ネジをねじ込むことによって、レンジフードをキッチン壁に十分な強度にて取り付け保持させるようにしている。
【先行技術文献】
【特許文献】
【０００５】
【特許文献１】特開２００５−１０６４２６号公報（図１、図５などを参照）
【特許文献２】特開２００６−２３４３６１号公報（図１、図３などを参照）
【特許文献３】特開２００９−１２７９７４号公報（図１、図６などを参照）
【発明の概要】
【発明が解決しようとする課題】
【０００６】
レンジフードや加熱調理器などのキッチン設備は、耐用年数などによる故障、損傷などによる交換、新製品の発売などに応じて交換が行われる。
例えば、ビルトインタイプの加熱調理器を新規の物に交換するときには、キッチンカウンタに開口されている既存の設置口をそのまま利用して既設の加熱調理器から新規の加熱調理器に簡単に取り替えることができる。
【０００７】
しかしながら、壁設置タイプのレンジフードの場合では、既設のレンジフードをキッチン壁から取り外し、キッチン壁に残る既設のレンジフードのネジ孔跡をそのまま利用、または、その近傍位置にて新規のレンジフードを十分な強度にてネジ止め設置することができない。
例えば、従来では最も標準的なレンジフードとして使用されていたブース型のレンジフードから近年においてシステムキッチンとのレイアウトなどに合わせて普及し始めた平型のレンジフードへの交換、または、排気装置をフード部内に設置している平型のレンジフードからフード部の上に排気装置を設置している平型のレンジフードへの変換などにおいては、レンジフードのそのものの構成形態が異なることやフード部の厚さ（高さ）が異なるなどによって、レンジフード側に備えられている壁取付部の配設位置がレンジフードの前記した各種の構成形態によって大きく変わる。つまり、キッチン壁への取付位置（ネジ止め位置）が大きく変わる。
そのために、既設のレンジフードを取り外した後にキッチン壁に残るネジ孔跡やその近傍に位置させて、キッチン壁への取付位置が大きく異なる新規のレンジフードをネジ止めすることができない。つまり、新規のレンジフードに備えられている壁取付部の配設位置にてキッチン壁にネジ止めした場合、木ネジなどの取付ネジが壁内部の間柱や貫などの下地材にはねじ込まれずに、キッチン壁（内壁）に張られている石膏ボードなどの内壁板のみへのネジ止めとなって十分な強度にてレンジフードをキッチン壁に取り付けることができない。
【０００８】
そこで、従来では、既設のレンジフードから新規のレンジフードへの交換するリフォーム工事のときに、既設のレンジフードをキッチン壁から取り外した後に、レンジフード設置部分のキッチン壁（構造壁部）に張られている石膏ボードなどの壁構成材を全て取り剥がす。
そして、新規に取り付け設置されるレンジフード側の壁取付部（壁取付孔）の配設位置に対応させて壁内部に、既存の間柱または貫などの下地材を利用して角材などの補強材を新たに取り付けて再度壁構成材を張り直すなどのレンジ設置部分の壁面補強（改善）工事を行うことによって、新規のレンジフードを、壁構成材を貫通して壁内部に新たに増設した補強材に達するようにねじ込まれる取付ネジでキッチン壁にネジ止め保持されるようにして、レンジフードを十分な強度にてキッチン壁に取り付け設置し得るようにしていた。
しかしながら、このような壁面補強工事は、大変面倒で手間が掛るなどの大掛かりな作業となるために、交換設置に時間が掛るばかりか、作業者に対しても大きな負担になっていた。また、設置費用が嵩むなどによる依頼者への費用負担増となるなどの問題があった。
【０００９】
そこで、本発明は、このような問題を解消することを課題に創案されたものである。すなわち、壁設置タイプのレンジフードであって、既設のレンジフードから新規のレンジフードへの交換設置を容易に短時間で可能にすること、また、依頼者への設置費用の負担軽減を図ること、などが本発明の目的である。
【課題を解決するための手段】
【００１０】
前記課題を解決するために、本発明に係るレンジフードの取付装置では少なくとも以下の構成を具備している。
すなわち、レンジフードを壁面に取り付け設置するためのレンジフード交換用の取付装置であって、
前記壁面に沿わせて取り付けられる略平板状を成し、前記壁面の内部の柱間に垂直に様々な間隔で存在する間柱に対応してネジ止めできるように長手方向に壁取付孔を複数備え、かつ、前記レンジフード側に備えられる壁取付部の配設位置に対応させてフード取付部を備えている取付部材と、略横長枠状に形成され、前記壁面の内部の柱間に垂直に様々な間隔で存在する間柱に対応してネジ止めできるように長手方向に壁取付孔を複数備え、かつ、前記レンジフードを取り付ける位置を決めるために前記取付部材より軽量な桟部材と、を備え、前記桟部材と前記取付部材との間に両部材を結合させる結合手段を備え、前記桟部材は結合状態において前記取付部材を保持し、前記壁取付孔は、前記取付部材と前記桟部材が前記壁面に沿って上下方向に配設されたときに、長手方向の配設位置が一致するように、前記取付部材および前記桟部材にそれぞれ配設されていることを特徴とする。
ここで、前記壁取付孔は、壁内部に存在している下地材、例えば、間柱または貫などに達するように取付ネジが挿通されるものであり、また、前記フード取付部は、レンジフード側に備えられている壁取付部を取付装置に取付ネジにてネジ止めするためのネジ孔である。なお、
【００１１】
また、取付装置は、前記壁面の壁内部の下地材間、例えば、柱間に垂直に存在している左右の間柱間、または、柱を貫通させて水平に存在している上下の貫間、のいずれかの一方の間にわたる大きさに少なくとも形成されていることが好適なものとなる。
【００１２】
また、取付装置は、前記壁取付孔および前記フード取付部をそれぞれ備えている略帯板状の第１取付部材と第２取付部材とから構成されていること、そして、前記第１取付部材は、レンジフードの機種によって異なる壁取付部の配設位置にそれぞれ対応させて前記フード取付部を、一辺縁部側と他辺縁部側に備えていること、などの構成を採用することがさらに好適なものとなる。
【００１３】
また、前記桟部材は、前記第２取付部材を保持する構成を採用することがさらに好適なものとなる。
また、前記壁取付孔は、前記第１取付部材、前記第２取付部材および前記桟部材のそれぞれの長手方向に複数配設され、なおかつ、前記第１取付部材、前記第２取付部材および前記桟部材が壁面に沿って上下方向に配置されたときに、前記長手方向の配設位置が一致するように、前記第１取付部材、前記第２取付部材および前記桟部材にそれぞれ配設されている構成を採用することがさらに好適なものとなる。
【００１４】
このような構成によれば、既設のレンジフードをキッチン壁（壁面）から取り外したのち、キッチン壁に沿う略平板状の取付装置に備えられている複数の壁取付孔の中から、キッチン壁に残るネジ孔跡やその近傍に対応する位置の壁取付孔を選択し、当該壁取付孔からキッチン壁に取付ネジをねじ込むことで、取付ネジを壁内部の間柱または貫などの下地材に確実にねじ込んで取付装置をキッチン壁に取り付けることができる。
そして、交換用の新規のレンジフードに備えられている壁取付部（壁取付孔）の配設位置に対応する取付装置のフード取付部（ネジ孔）に取付ネジを用いて壁取付部をネジ止めすることで、新規のレンジフードをキッチン壁に取り付け設置することができる。つまり、壁内部の下地材、例えば、柱間に垂直に存在する間柱に取付装置を介して確実にねじ込み保持させた状態で新規のレンジフードをキッチン壁に取り付け設置することができる。
【００１５】
また、略帯板状を呈する第１取付部材と第２取付部材との２部材から構成されていることで、例えば、汚染空気を吸気する捕集空間の開口部からの高さが高いブース型のレンジフード用、そして、このブース型に比べて捕集空間の開口部からの高さが低い平型のレンジフード用、などのそれぞれの機種毎の壁取付部の配設位置に対応させて第１取付部材と第２取付部材のキッチン壁への取り付け配置の間隔可変によって機種毎に対応させることができる。
このとき、機種毎によって異なる壁取付部の配設位置にそれぞれ対応させて一辺縁部側と他辺縁部側にフード取付部をそれぞれ備えている第１取付部材を用いて、キッチン壁に取り付けるときに、例えば、一辺縁部側と他辺縁部側との上下方向の向きを変えるように第１取付部材を上下反転させるなどによって、機種毎に合わせた汎用性がより高くなる。
【００１６】
また、第２取付部材を保持する桟部材を備えていることで、消防法で定められている加熱調理器からの高さ位置に捕集空間の開口部を合わせるときの最初の位置決めを、第１取付部材や第２取付部材に比べて軽量な桟部材を用いて行うことができる。これにより、桟部材に結合手段（結合爪部と結合孔部）で重ね結合される第２取付部材のキッチン壁への位置決め取り付け、そして、この第２取付部材に位置させて取り付けられる第１取付部材のキッチン壁への位置決め取り付け作業を容易に行うことができる。
【００１７】
また、第１取付部材、第２取付部材および桟部材の長手方向に備えられているキッチン壁への壁取付孔が、当該各部材を壁面に沿わせて上下方向に配したときに長手方向の配置位置が一致するように備えられていることで、例えば、桟部材を前記したように、最初の位置決めとして壁内部の間柱にねじ込み取り付けることで、この桟部材のネジ止め位置に合わせて第２取付部材、第１取付部材を同じ間柱にネジ止め取り付けることができる。つまり、第１取付部材、第２取付部材および桟部材の各部材を壁内部の下地材に対して確実にネジ止め保持させた状態で取付装置をキッチン壁に取り付けて、該取付装置をベースとしてレンジフードをキッチン壁に取り付け設置することができる。
【発明の効果】
【００１８】
本発明によれば、既設のレンジフードをキッチン壁から取り外したのち、壁内部に間柱や貫などの下地材が存在しているキッチン壁に残るネジ孔跡、または、その近傍を目印にして取付ネジをキッチン壁にねじ込んで取付装置をキッチン壁に取り付けることで、新規のレンジフードを十分な強度にてキッチン壁に取り付け設置することができる。つまり、壁内部の下地材、例えば、間柱に取付装置を介して確実にねじ込み保持させた状態で新規のレンジフードをキッチン壁に十分な強度で取り付け設置させることができる。
これにより、従来技術のように、石膏ボードなどの壁構成材を取り剥がすなどの面倒で手間が掛る大掛かりな壁面補強工事を行うことなく、既設のレンジフードから新規のレンジフードへの交換設置を容易に短時間で行うことができる。加えて、壁面補強工事の不要によって作業者への負担が大幅に軽減されるとともに、依頼者への設置費用の負担軽減を図ることができる。
【００１９】
また、略帯板状を呈する第１取付部材と第２取付部材との２部材から構成されていることで、レンジフードの機種毎の壁取付部の配置位置に対応させた第１取付部材と第２取付部材のキッチン壁への取り付け配置の間隔可変によって機種毎に対応させてキッチン壁への取り付け設置が可能となる。このとき、一辺縁部側と他辺縁部側にフード取付部をそれぞれ備えている第１取付部材を用いることで、機種毎に合わせた汎用性がより高くなる。
すなわち、第１取付部材の一辺縁部側もしくは他辺縁部側のどちらかに集中させて多くの機種のレンジフードの壁取付部の配設位置に対応させてフード取付部（ネジ孔）を設けると、フード取付部が接近して開口されることになり、キッチン壁にレンジフードを取り付けるベースとして強度不足が発生するおそれがあるために、多くの機種に対応させることが難しくなる。そこで、一辺縁部側と他辺縁部側とに分散させてフード取付部を設ける構成を採用することで、強度不足を回避するとともに、第１取付部材を上下反転させるなどによって多くの機種のキッチン壁へ取り付けを可能とする。これにより、対応機種の数を多くしても１ヶ所にフード取付部（ネジ孔）が集中して開口されることを避けることができるため、十分な強度を保ったまま対応機種の数を多くすることが可能となる。
【００２０】
さらに、第１取付部材と第２取付部材との２部材から構成されていることで、レンジフードを取り付けるときに、レンジフードの上部、例えば、送風装置から突出して（飛び出して）しまう取付装置の幅（高さ）を最小限に抑えることが可能となる。
すなわち、第１取付部材と第２取付部材との２部材から構成せずに、１部材で構成すると、対応機種のうち、最も高さがあるレンジフードの高さに合わせて構成することが必要になるが、そのように構成した場合には高さが低いレンジフードを取り付けた際に、レンジフードの上部から取付装置が大きく突出してしまうことになる。このように、レンジフードの上部から取付装置が大きく突出してしまうと、キッチン壁側へのダクト配管を行う場合において、屋外に抜けるダクト配管孔を開口できる範囲が取付装置によってより狭くなってしまうなどの制約を受けることとなり、ダクト配管の自由度が低下して作業効率が低下したり、条件によっては配管が不可能になったりするなどの状況を招くおそれがあるが、取付装置を２部材から構成することで、このような状況の発生を防ぐことができる。
つまり、第１取付部材と第２取付部材（桟部材がある場合には桟部材を含む）をキッチン壁に沿わせて上下方向に隙間なく配したときの２部材（あるいは３部材）の合計高さを、対応機種のうち最も低い高さのレンジフードを取り付けるのに必要最小限の高さに合わせて構成する。そして、より高さの高いレンジフードを取り付ける際には、第１取付部材と第２取付部材の間に隙間を設けてキッチン壁に配することで、高さの高いレンジフードを取付可能とする。したがって、前記のように高さが低いレンジフードを取り付けた際に、レンジフードの上部から取付装置が大きく突出してしまうことを防ぐことができる。
これにより、壁取付部の配設位置が異なるレンジフードの多くの機種に対応させた取付装置を個々に製作準備することなく、多くの機種のレンジフードに対応させたキッチン壁への取り付け設置を可能にすることができる。
【００２１】
また、第２取付部材を結合状態にて保持する桟部材を備え、なおかつ、第１取付部材、第２取付部材および桟部材をキッチン壁に沿わせて上下方向に配したとき、各部材の壁取付孔の配設位置が長手方向に一致するように備えている構成を採用することで、レンジフードをキッチン壁に取り付け設置するときのキッチン壁への高さ位置決めを容易に、しかも、第１取付部材、第２取付部材および桟部材の全ての部材を壁内部の同じ下地材、例えば、間柱に対して確実にネジ止め保持させた状態で取付装置をキッチン壁に取り付けて、該取付装置をベースとしてレンジフードを取り付け設置することができる。
これにより、既設のレンジフードから新規のレンジフードへの交換設置の作業時間をさらに短縮することが期待できる。
【図面の簡単な説明】
【００２２】
【図１】本発明の取付装置を適用させてレンジフードの第１の実施形態に係るキッチン壁への取り付け設置状態を示す縦断側面図である。
【図２】同設置状態の要部を拡大して示す断面図である。
【図３】同レンジフードを示す正面図である。
【図４】本発明の取付装置を適用させてレンジフードの第２の実施形態に係るキッチン壁への取り付け設置状態を示す縦断側面図である。
【図５】同設置状態の要部を拡大して示す断面図である。
【図６】同レンジフードを示す正面図である。
【図７】取付装置を構成する第１取付部材を示し、（ａ）は、正面図である。（ｂ）は、（ａ）のｂ−ｂ線における拡大断面図である。
【図８】取付装置を構成する第２取付部材を示し、（ａ）は、正面図である。（ｂ）は、（ａ）のｂ−ｂ線における拡大断面図である。
【図９】取付装置を構成する桟部材を示し、（ａ）は、正面図である。（ｂ）は、（ａ）のｂ−ｂ線における拡大断面図である。
【図１０】取付装置をキッチン壁に取り付ける施工例を示す説明図である。
【図１１】キッチン壁に取り付けられた取付装置にレンジフードを取り付け保持させた状態を示す説明図である。
【発明を実施するための形態】
【００２３】
以下、本発明の実施形態について、適宜図面を参照しながら詳細に説明する。
本発明の実施形態に係る取付装置を適用させてキッチン壁Ｋに取り付け設置される壁設置タイプのレンジフードとしては、キャビネット（図示省略）が取り付けられるキッチン壁に背面側を向けて送風装置の送風機ボックス、フード部をキャビネットと並列させて取り付け設置される背面取付タイプと、オープンキッチンのように、キッチン壁にフード部の一側面側を沿わせて取り付け設置される側面取付タイプを挙げることができる。
本実施形態では、図３および図６にそれぞれ示す２機種の背面取付タイプのレンジフードＢ，Ｃを一例に挙げて、取付装置Ａを適用させたキッチン壁Ｋへの取り付け設置について説明する。
【００２４】
≪レンジフードの形態説明≫
まず、レンジフードＢについて説明する。
図１は、本発明の取付装置を適用させたレンジフードの第１の実施形態に係るキッチン壁への取り付け設置状態を示す縦断側面図であり、図２は、同設置状態を拡大して示す断面図であり、図３は、同レンジフードを示す正面図である。
レンジフードＢは、図１および図３に示すように、平型（薄型）のフード部Ｂ１上に送風装置Ｂ２を設置してなる構成形態を呈している。
【００２５】
フード部Ｂ１は、底面視で略矩形形状の適宜の横幅、例えば、６００ｍｍ、９００ｍｍなどの横幅Ｌ１を有し、かつ、適宜の高さ（厚さ）Ｌ２を有する略箱型に形成されている。そして、フード部Ｂ１は、キッチン壁Ｋ側に位置する背面板１に壁取付部である壁取付孔３を備えている。
【００２６】
壁取付孔３は、図２および図３に示すように、背面板１におけるフード部Ｂ１の横幅Ｌ１方向の略中央と右側との２ヶ所において略ダルマ形状にて配設されて、取付装置Ａの後記するフード取付部に取付ネジ４にてネジ止めされる。つまり、フード部Ｂ１が取付ネジ４によって取付装置Ａに取り付け保持されるように形成されている。
【００２７】
送風装置Ｂ２は、図示省略の送風機ファン（遠心ファンや多翼ファンなど）が内設されている送風機ボックスｂ２を備えている。
送風機ボックスｂ２は、図３に示すように、フード部Ｂ１の横幅Ｌ１と略同じ横幅Ｌ３で、適宜の高さＬ４を有する横長形状に形成されて、その長辺一側面側（キッチン壁Ｋ側に面する背面側）をフード部Ｂ１の背面板１と略面一状に位置させてフード部Ｂ１上にネジ止めなどによって取り付け設置されるようになっている。
そして、このように形成されている送風装置Ｂ２の送風機ボックスｂ２上には、壁取付部である壁取付孔５を備えている取付金具６が取り付け配置されている。
【００２８】
取付金具６は、図２および図３に示すように、送風機ボックスｂ２の横幅Ｌ３と略同じ長さを有する側面視で略Ｌ字形状に形成されている。
そして、この取付金具６は、送風機ボックスｂ２上にネジ止めされる水平部６ａから垂直に折り曲げ立ち上げた垂直部６ｂを備えて、この垂直部６ｂに壁取付部である壁取付孔５を備えている。
【００２９】
壁取付孔５は、図３に示すように、取付金具６の垂直部６ｂにおける左右両側の２ヶ所に略ダルマ形状にて配設されて、取付装置Ａの後記するフード取付部に取付ネジ７にてネジ止めされる。つまり、送風機ボックスｂ２が取付ネジ７によって取付装置Ａに取り付け保持されるように取付金具６の左右両側に配設されている。
【００３０】
つぎに、レンジフードＣについて説明する。
図４は、本発明の取付装置を適用させたレンジフードの第２の実施形態に係るキッチン壁への取り付け設置状態を示す縦断側面図であり、図５は、同設置状態を拡大して示す断面図であり、図６は、同レンジフードを示す正面図である。
レンジフードＣは、前記詳述のレンジフードＢの形態と基本的に同じ、平型（薄型）のフード部Ｃ１上に送風装置Ｃ２を設置してなる構成形態を呈している。
【００３１】
そして、このレンジフードＣは、レンジフードＢのフード部Ｂ１の横幅Ｌ１と略同じ横幅Ｌ５を有する略箱型に形成されているフード部Ｃ１の高さＬ６が、レンジフードＢのフード部Ｂ１の高さＬ２よりも低く形成されている。
【００３２】
また、レンジフードＣは、送風装置Ｃ２の送風機ボックスｃ２の高さＬ７を、レンジフードＢの送風装置Ｂ２の送風機ボックスｂ２の高さＬ４よりも高く、なおかつ、送風機ボックスｃ２の横幅Ｌ８をフード部Ｃ１の横幅Ｌ５の略半分程度にしている。
これにより、送風機ボックスｃ２は、図４および図６に示すように、一側面側（キッチン壁Ｋ側に面する背面側）をフード部Ｃ１の背面と略面一状に位置させ、なおかつ、フード部Ｃ１の横幅Ｌ５方向の片側（図６で紙面右側）に位置させてフード部Ｃ１上にネジ止めなどによって取り付け設置されるようになっている。
【００３３】
そして、このような構成形態に形成されているレンジフードＣは、図４および図６に示すように、フード部Ｃ１の横幅Ｌ５方向の左右両側と送風機ボックスｃ２の両側上部に、壁取付部である壁取付孔８，９をそれぞれ備えている取付金具１０，１１がそれぞれ取り付け配置されている。
【００３４】
取付金具１０は、図４および図６に示すように、フード部Ｃ１上にネジ止めされる長尺な水平部１０ａから垂直に折り曲げ立ち上げた短尺な垂直部１０ｂを備えて、この垂直部１０ｂに壁取付孔８を備えている。
【００３５】
壁取付孔８は、取付装置Ａの後記するフード取付部に取付ネジ１２によってネジ止めされる。つまり、フード部Ｃ１が取付ネジ１２によって取付装置Ａに取り付け保持されるように取付金具１０に配設されている。
【００３６】
一方、取付金具１１は、平面視で略Ｌ字形状に形成されて、その一辺部側を送風機ボックスｃ２の両側上部にネジ止めされ、他辺部側に壁取付孔９を備えている。
【００３７】
壁取付孔９は、取付装置Ａのフード取付部に取付ネジ１３によってネジ止めされる。つまり、送風機ボックスｃ２が取付ネジ１３によって取付装置Ａに取り付け保持されるよう取付金具１１の他辺部側に略ダルマ形状にて配設されている。
【００３８】
つぎに、以上のような構成形態からなるレンジフードＢ，Ｃを、既設のレンジフードに換えてキッチン壁Ｋに取り付けるための本発明の取付装置Ａについて説明する。
図７、図８および図９は、本発明の取付装置を構成する第１取付部材、第２取付部材、桟部材をそれぞれ示す正面図および拡大断面図である。ここでは、図１〜図６を適宜参照しながら説明する。
【００３９】
≪取付装置の構成≫
取付装置Ａは、既設のレンジフードに換えてキッチン壁Ｋに取り付け設置されるレンジフードＢ，Ｃのベースとして適用されるものであり、鋼板などの適宜の金属板材を用いた折り曲げ加工とスポット溶接などによって略平板状に形成される。
この取付装置Ａは、レンジフードＢ，Ｃのフード部Ｂ１，Ｃ１の横幅Ｌ１，Ｌ５と略同じ長さを有する略横長帯板状にそれぞれ形成される第１取付部材Ａ１および第２取付部材Ａ２、略横長枠状に形成される桟部材Ａ３を備えて構成されている。
【００４０】
≪第１取付部材の構成≫
第１取付部材Ａ１は、送風機ボックスｂ２，ｃ２の大きさ、形状、そして壁取付孔５，８の配設位置や配設間隔が異なる前記したレンジフードＢ，Ｃの送風装置Ｂ１，Ｃ１を、壁内部の下地材、例えば、図２および図５、後記の図１１に示す石膏ボードなどの壁構成材Ｄが張り付けられる間柱Ｅにねじ込まれる取付ネジ１４をそれぞれ介してネジ止め保持する役目を成すものである。
この第１取付部材Ａ１は、截断加工、折り曲げ加工された２枚の板材を、図７の（ｂ）に示す断面図のように重ね合わせた状態でスポット溶接などによって一体に結合させることで、適宜の幅（高さ）と厚さを有する略横長帯板状に形成される。
【００４１】
そして、第１取付部材Ａ１は、長手方向における一辺縁部側と他辺縁部側に、壁取付孔１５を有する壁取付凹部１６をそれぞれ備えるとともに、この両壁取付凹部１６間における平坦部分にはフード取付部を備えている。
【００４２】
また、第１取付部材Ａ１は、図７に示すように、両壁取付凹部１６にそれぞれ位置してフード取付部が配設される２枚の板材の間に、略コの字形状を呈する補強材１７を挟持状に内在させることで、フード取付部の配設部分に剛性を付与するようにしている。つまり、フード取付部が配設される部分を二重壁構造とすることで、交換されるレンジフードＢ，Ｃを十分な強度にて支え保持し得るようにしている。
【００４３】
壁取付凹部１６は、図２および図５に示すように、キッチン壁Ｋに沿わせる第１取付部材Ａ１の厚さ方向の一側面側（図７の（ｂ）において紙面右側面）を平坦な底部として、レンジフードＢ，Ｃが取り付け保持される他側面（図７の（ｂ）において紙面左側面）側に適宜の溝幅にて開口するように第１取付部材Ａ１の長手方向全長にわたって形成される。
【００４４】
壁取付孔１５は、図７に示すように、第１取付部材Ａ１の長手方向に等間隔をおいて複数配設される。これにより、既設のレンジフードに換えてレンジフードＢ，Ｃをキッチン壁Ｋに取り付け設置するときに、図２および図５に示すように、壁内部の間柱Ｅ（キッチン壁Ｋに残るネジ孔跡やその近傍を目安）に対応する箇所の壁取付孔１５を選択することで、間柱Ｅから外れることなく、間柱Ｅに取付ネジ１４を確実にねじ込むことができるようにしている。
また、壁取付孔１５は、第１取付部材Ａ１の一辺縁部（上辺縁部）側および他辺縁部（下辺縁部）側の両壁取付凹部１６にそれぞれ配設されている。そして、一辺縁部側の壁取付孔１５と他辺縁部側の壁取付孔１５は、互いに長手方向の配設位置が一致するように長手方向に複数配設されている。
【００４５】
≪フード取付部の構成≫
フード取付部は、前記したレンジフードＢ，Ｃのように、送風装置Ｂ２，Ｃ２（送付機ボックスｂ２，ｃ２）の形状や大きさ、そして送風装置Ｂ２，Ｃ２のフード部Ｂ１，Ｃ１上への設置位置などによって送風装置Ｂ２，Ｃ２に対する配設位置が異なる各壁取付孔５，８の配設位置に対応させて第１取付部材Ａ１の平坦部分にそれぞれ配設されるネジ孔１８，１９である。
このネジ孔１８，１９は、図７に示すように、ナット部材（ポップナット）を溶接やカシメなどによって第１取付部材Ａ１の厚さ内に収まるように取り付けられてそれぞれ対を成すように配設されるものである。
【００４６】
そして、このようにして第１取付部材Ａ１に備えられるネジ孔１８，１９のうち、ネジ孔１８は、レンジフードＢの送風装置Ｂ２に取付金具６を介して備えられている左右両側の壁取付孔５の配設間隔Ｌ９をおいて第１取付部材Ａ１の他辺縁部側（図７の（ａ）の紙面下側）に配設されることで、取付ネジ７によるネジ止めによって送風装置Ｂ２が第１取付部材Ａ１に支え保持されるように形成されている。
【００４７】
一方、ネジ孔１９は、レンジフードＣの送風装置Ｃ２に取付金具１０を介して備えられている左右両側の壁取付孔８の配設間隔Ｌ１０をおいて第１取付部材Ａ１の一辺縁部側（図７の（ａ）の紙面上側）配設されることで、取付ネジ１３によるネジ止めによって送風装置Ｃ２が第１取付部材Ａ１に支え保持されるように形成されている。
そして、このネジ孔１９の第１取付部材Ａ１への配設では、送風装置Ｃ２の２ヶ所の壁取付孔８の配設間隔Ｌ１０をおいて第１取付部材Ａ１の他辺縁部側に配設される２ヶ所のネジ孔１９が、図６に示すように、フード部Ｃ１上の右側に位置して送風機ボックスｃ２が設置された場合、そして図示省略のフード部上の左側に位置して送風機ボックスが設置された場合の双方の設置形態に対応し得るように、壁取付孔９の配設間隔Ｌ１０にて第１取付部材Ａ１の長手方向の一方側（図７の（ａ）の紙面右側）寄りと、他方側（図７の（ａ）の紙面左側）寄りにおいてそれぞれ配設されている。
つまり、キッチン壁Ｋや天井裏などを通して屋外などに配管される図示省略の排気ダクトとの接続に合わせてフード部Ｃ１の右側に、または、左側に位置させてフード部Ｃ１上に設置される送風機ボックスｃ２を、第１取付部材Ａ１の長手方向の一方側寄りと、他方側寄りにおいてそれぞれ配設される対を成す２ヶ所のネジ孔１９にねじ込まれる取付ネジ１３によってネジ止め保持し得るようにしている。
【００４８】
≪第２取付部材の構成≫
第２の取付部材Ａ２は、高さ（厚さ）やキッチン壁Ｋへの取り付け形態などの違いによって壁取付孔３，８の配設位置が異なるレンジフードＢ，Ｃのフード部Ｂ１，Ｃ１を、壁内部の下地材、例えば、図２および図５、後記の図１１に示す石膏ボードなどの壁構成材Ｄが張り付けられる間柱Ｅにねじ込まれる取付ネジ１４を介してネジ止め保持する役目を成すものである。
この第２取付部材Ａ２は、第１取付部材Ａ１と略同じく、截断加工、折り曲げ加工された２枚の板材を重ね合わせた状態でスポット溶接などによって一体に結合させることで、第１取付部材Ａ１の幅（高さ）よりも幅広の略帯板状に形成される。
【００４９】
そして、第２取付部材Ａ２は、長手方向における一辺縁部側のみに壁取付孔２０を有する壁取付凹部２１を備えているとともに、他辺縁部側に至る幅方向の平坦部分にフード取付部を備えている。
また、第２取付部材Ａ２は、他辺縁部に桟部材Ａ２と結合させるための結合手段である結合孔部２２を備えている。
【００５０】
壁取付凹部２１および壁取付孔２０は、第１取付部材Ａ１側の壁取付凹部１６および壁取付孔１５と同じ形態にて第２取付部材Ａ２に形成されて、既設のレンジフードに換えてレンジフードＢ，Ｃをキッチン壁Ｋに取り付け設置するときに、図２および図５に示すように、壁内部の間柱Ｅ（キッチン壁Ｋに残るネジ孔跡やその近傍を目安）に対応する箇所の壁取付孔２０を選択することで、間柱Ｅから外れることなく、間柱Ｅに取付ネジ１４を確実にねじ込むことができるようにしている。
【００５１】
また、壁取付孔２０は、第２取付部材Ａ２が、図２および図５に示すように、第１取付部材Ａ１の下側に位置してキッチン壁Ｋに配されたとき、第１取付部材Ａ１側の壁取付孔１５と長手方向の配設位置が一致するように壁取付凹部２１に配設されている。
【００５２】
≪フード取付部の構成≫
フード取付部は、第２取付部材Ａ２の平坦部に配設されるネジ孔２３，２４である。
このネジ孔２３，２４は、前記したレンジフードＢおよびレンジフードＣの各壁取付孔３，８の配設位置に対応させて第２取付部材Ａ２の平坦部分にそれぞれ配設される。
つまり、前記したレンジフードＢのようにフード部Ｂ１の背面板１をキッチン壁Ｋに取り付ける場合の壁取付孔３と、レンジフードＣのように取付金具１１を介してフード部Ｃ１の上部をキッチン壁Ｋに取り付ける場合の壁取付孔８の配設位置は異なるため、これらの機種に対応させるために、各壁取付孔３，８に対応させた位置にネジ孔２３，２４を設けている。
【００５３】
そして、このようにして第２取付部材Ａ２に備えられるネジ孔２３、２４のうち、ネジ孔２３は、レンジフードＢのフード部Ｂ１の背面板１に配設される両側の壁取付孔３の配設間隔Ｌ１１をおいて、図８に示すように、第２取付部材Ａ２に配設されることで、取付ネジ４によるネジ止めによってフード部Ｂ１が第２取付部材Ａ２に直接支えられて保持されるようにしている。
【００５４】
一方、ネジ孔２４は、レンジフードＣのフード部Ｃ１上に取付金具１１を介して備えられている両側の壁取付孔８の配設間隔Ｌ１２をおいて、図８に示すように、第２取付部材Ａ２に配設されることで、取付ネジ１２によるネジ止めによってフード部Ｃ１が取付金具１０を介して支えられて第２取付部材Ａ２に保持されるように形成されている。
【００５５】
≪結合孔部の構成≫
結合孔部２２は、既設のレンジフードが取り外されたキッチン壁Ｋに取付装置Ａを取り付けるとき、まず最初に、キッチン壁Ｋに沿わせて取り付けられる桟部材Ａ３の後記する結合爪部２５との嵌め合わせによって、桟部材Ａ３の上に第２取付部材Ａ２を結合保持させるためのものである。
この結合孔部２２は、図８に示すように、第２取付部材Ａ２の他辺縁部に沿わせた長辺方向の両側と中央部位の計３か所に開口されてそれぞれ配設されている。
【００５６】
≪桟部材の構成≫
桟部材Ａ３は、既設のレンジフードに換えてレンジフードＢ，Ｃをキッチン壁Ｋに取り付け設置するとき、フード部Ｂ１，Ｃ１の捕集空間Ｍの開口部を、消防法で定められている図示省略の加熱調理器からの高さＨ位置に合わせるときの最初の位置決めとして（後記の図１０参照）、また、重さのある第２取付部材Ａ２をキッチン壁Ｋに取り付けるときに支えるなどの役目を成すものである。
この桟部材Ａ３は、截断加工、折り曲げ加工などによって、図２および図５に示すように、第１取付部材Ａ１、第２取付部材Ａ２の厚さと略同じ側面視で略縦長のコの字形状に形成されている。そして、桟部材Ａ３は、長手方向における曲げ一辺側に沿わせて壁取付孔２６を備えているとともに、曲げ他辺側に第２取付部材Ａ２の他辺縁部側を結合させるための結合手段である結合爪部２５を備えている。
【００５７】
壁取付孔２６は、第１取付部材Ａ１および第２取付部材Ａ２の壁取付孔１５，２０と同じ間隔をおいて桟部材Ａ３の長手方向に形成され、かつ、長手方向の配設位置が一致するように長手方向に配設されている。
【００５８】
≪結合爪部の構成≫
結合爪部２５は、前記したように、第２取付部材Ａ２の結合孔部２２との嵌め合わせによって、第２取付部材Ａ２を桟部材Ａ３の上に結合保持させるためのものである。
この結合爪部２５は、図９に示すように、桟部材Ａ３の長手方向における曲げ一辺側における第２取付部材Ａ２の結合孔部２２と対応する両側と中央部位の計３ヶ所に上向きに折り曲げられてそれぞれ配設されている。
【００５９】
［作用説明］
つぎに、以上のように構成されている本発明の取付装置Ａを適用させたレンジフードＢ，Ｃのキッチン壁Ｋへの取り付け方について簡単に説明する。ここでは、図１〜図３に示す形態からなるレンジフードＢを一例に挙げて説明する。
図１０は、取付装置をキッチン壁に取り付ける施工例を示す説明図であり、図１１は、キッチン壁に取り付けられた取付装置にレンジフードを取り付け保持させた状態を示す説明図である。
既設のレンジフードがキッチン壁Ｋから取り外されたのち、壁内部に間柱Ｅが存在しているキッチン壁Ｋに残るネジ孔跡を目安（目印）にして、図１０に示すように、取付ネジ１４をキッチン壁Ｋにねじ込んで取付装置Ａの桟部材Ａ３をキッチン壁Ｋにネジ止めする。このとき、桟部材Ａ３は、消防法で定められている加熱調理器からの高さＨ位置に合わせてキッチン壁Ｋに沿わせて取り付け配置される。
【００６０】
つぎに、第２取付部材Ａ２の他辺縁部に備えられている結合孔部２２を桟部材Ａ３の結合爪部２５と嵌め合わせ結合させるように第２取付部材Ａ２をキッチン壁Ｋに沿わせ、この状態で、キッチン壁Ｋにネジ止めされている桟部材Ａ３の壁取付孔２６との配設位置が長手方向に一致する（左右方向の同一の位置に設けられている）第２取付部材Ａ２の壁取付孔２０から取付ネジ１４をキッチン壁Ｋにねじ込んで第２取付部材Ａ２をキッチン壁Ｋにネジ止めする。
【００６１】
そして、既設のレンジフードに換えて取り付ける新規のレンジフードＢの送風装置Ｂ２に取付金具６を介して備えられている壁取付孔５の配設間隔Ｌ９にてネジ孔１８が配設されている第１取付部材Ａ１の他辺縁部側を上方に向けて第１取付部材Ａ１をキッチン壁Ｋに沿わせる（この場合、図７の（ａ）に示す状態の第１取付部材Ａ１を上下に反転させてネジ孔１８が配設されている他辺縁部側を上方に向ける）。この状態で、キッチン壁Ｋにネジ止めされている桟部材Ａ３、第２取付部材Ａ２の壁取付孔２６，２０と長手方向に一致する第１取付部材Ａ１の壁取付孔１５から取付ネジ１４をキッチン壁Ｋにねじ込んで第１取付部材Ａ１をキッチン壁Ｋにネジ止めする。
これにより、既設のレンジフードが取り外されたキッチン壁Ｋへの取付装置Ａの取り付けが完了し、桟部材Ａ３、第２取付部材Ａ２、第１取付部材Ａ１は、壁内部に存在している間柱Ｅに達するようにねじ込まれる取付ネジ１４によってキッチン壁Ｋに取り付け保持される。
【００６２】
このようして、取付装置Ａをキッチン壁Ｋに取り付け、交換するレンジフードＢのフード部Ｂ１の背面板１に備えられている壁取付孔３と送風装置Ｂ２の上に取付金具６を介して備えられている壁取付孔５を、第２取付部材Ａ２と第１取付部材Ａ１に備えられているネジ孔２３，１８に取付ネジ４，７を用いてネジ止めすることで、図１および図２に示すように、取付装置ＡをベースとするレンジフードＢのキッチン壁Ｋへの取り付け設置が完了する。
【００６３】
以上、本発明の実施形態の具体例を詳細に説明したが、前記詳述の実施形態は例示にすぎなく、特許請求の範囲を限定するものではない。特許請求の範囲に記載の技術事項には、本発明の要旨を逸脱しない範囲で設計変更などしたものであっても含まれるものである。
例えば、キッチン壁Ｋの壁内部に柱を貫通して水平に存在している上下の貫間に取付装置をネジ止め保持させて、既設のレンジフードに換えて新規のレンジフードＢ，Ｃをキッチン壁Ｋに取り付け設置することができる。つまり、取付装置をベースとして新規のレンジフードＢ，Ｃをキッチン壁Ｋに十分な強度にて取り付け設置するために取付ネジ１４がねじ込まれる壁内部の下地材としては、前記実施形態詳述の間柱に限らず、水平材である貫などを挙げることができる。
【００６４】
また、取付装置を適用させてキッチン壁Ｋに取り付け設置されるレンジフードの構成形態としては、図３および図６に示すものに限らず、近年製造販売されている壁設置タイプ全てのレンジフードが対象となるものであり、この場合、取付装置はそれら機種毎に異なる壁取付部に配設位置に対応させたフード取付部であるネジ孔を備えているものである。
【符号の説明】
【００６５】
Ａ      取付装置
Ａ１    第１取付部材
Ａ２    第２取付部材
Ａ３    桟部材
Ｂ，Ｃ  レンジフード
Ｂ１，Ｃ１  フード部
Ｂ２，Ｃ２  送風装置
Ｋ      キッチン壁（壁面）
Ｅ      間柱（下地材）
３，５，８，９  壁取付孔（レンジフード側の壁取付部）
１５，２０，２６  壁取付孔（取付装置側）
１８，１９，２３，２４  ネジ孔（フード取付部）
２２      結合孔部（結合手段）
２５      結合爪部（結合手段）
【図１】
0005794824.tif 000002
【図２】
0005794824.tif 000003
【図３】
0005794824.tif 000004
【図４】
0005794824.tif 000005
【図５】
0005794824.tif 000006
【図６】
0005794824.tif 000007
【図７】
0005794824.tif 000008
【図８】
0005794824.tif 000009
【図９】
0005794824.tif 000010
【図１０】
0005794824.tif 000011
【図１１】
0005794824.tif 000012